(57)【要約】【課題】紙詰まりを抑制しつつサイホンを起動できる排水ソケット及び排水ソケットを備えた便器を提供する。【解決手段】便器５０の排水管部５１に接続される接続部１１と、前記接続部１１の下流側に連なる排水路本体部１２と、前記排水路本体部１２の下流側に連なって設けられ、流れ方向に延びており、上流側より下流側の流路面積が小さい形状をなす絞り部３２と、を備えている。このような構成によれば、洗浄水が絞り部３２に当たって跳ね返り、サイホンを発生させる。絞り部３２には、水平な受け面がないから紙等が引っ掛かりにくい。したがって、紙詰まりを抑制しつつサイホンを起動できる。【選択図】図２
2020197003.tif 000002
【特許請求の範囲】
【請求項１】
便器の排水管部に接続される接続部と、
前記接続部の下流側に連なる排水路本体部と、
前記排水路本体部の下流側に連なって設けられ、流れ方向に延びており、上流側より下流側の流路面積が小さい形状をなす絞り部と、
を備えている排水ソケット。
【請求項２】
前記絞り部が、略水平な複数の段差面、または下流側に向かって流路面積を小さくするテーパ面を有している請求項１に記載の排水ソケット。
【請求項３】
前記絞り部の全周に前記段差面または前記テーパ面が形成されている請求項２に記載の排水ソケット。
【請求項４】
前記排水路本体部と前記絞り部との間に、前記絞り部に向かって流路面積を拡大する流路面積拡大部が設けられ、
前記絞り部の下流側に、下方に延びるガイド部が設けられている請求項１から請求項３のいずれか一項に記載の排水ソケット。
【請求項５】
便器の排水管部を有する便器と、
請求項１から請求項４のいずれか一項に記載の排水ソケットと、
を備えている排水ソケットを備えた便器。
【発明の詳細な説明】
【技術分野】
【０００１】
本発明は、排水ソケット及び排水ソケットを備えた便器に関する。
【背景技術】
【０００２】
従来、サイホン作用を利用して便器の洗浄水を勢い良く排水する排水ソケットが知られている。例えば下記特許文献１には、便器の排水管部に接続される接続部と、接続部の下流側に連なった排水路本体部とを備えた排水ソケットが記載されている。この排水ソケットは、排水路本体部の下流側にリング状の水平な受け面を有している。受け面に洗浄水が当たって受け面の上方に洗浄水が溜まり、流路内が排水で満たされてサイホンが起動する。
【先行技術文献】
【特許文献】
【０００３】
【特許文献１】特開２００９−５７６９４号公報
【発明の概要】
【発明が解決しようとする課題】
【０００４】
しかしながら、上記のような構成では、洗浄水とともに流れてきた紙が受け面に引っ掛かりやすいため、紙詰まりを生じる虞があった。
【０００５】
本発明は上記のような事情に基づいて完成されたものであって、紙詰まりを抑制しつつサイホンを起動できる排水ソケット及び排水ソケットを備えた便器を提供することを目的とする。
【課題を解決するための手段】
【０００６】
本発明の排水ソケットは、便器の排水管部に接続される接続部と、前記接続部の下流側に連なる排水路本体部と、前記排水路本体部の下流側に連なって設けられ、流れ方向に延びており、上流側より下流側の流路面積が小さい形状をなす絞り部と、を備えているものである。
本発明の排水ソケットを備えた便器は、便器の排水管部を有する便器と、前記排水ソケットと、を備えているものである。
【発明の効果】
【０００７】
本発明によれば、洗浄水が絞り部に衝突してサイホンを発生させる。また絞り部が、一つの水平な受け面である場合に比べて紙等が引っ掛かりにくい。したがって、紙詰まりを抑制しつつサイホンを起動できる。
【図面の簡単な説明】
【０００８】
【図１】本実施例における排水ソケットであって、便器の排水管部と床面の排水管部とを連結した状態を示す断面図
【図２】排水ソケットを示す断面図
【図３】排水ソケットの絞り部を示す一部拡大断面図
【図４】排水ソケットを示す一部拡大平面図
【図５】排水ソケットを示す断面図であって、図２のＡ−Ａ位置における断面に相当する断面図
【図６】他の実施例（１）における排水ソケットの絞り部を示す一部拡大断面図
【図７】他の実施例（２）における排水ソケットの絞り部を示す一部拡大断面図
【図８】他の実施例（３）における排水ソケットの絞り部を示す一部拡大断面図
【図９】他の実施例（４）における排水ソケットの絞り部を示す一部拡大断面図
【発明を実施するための形態】
【０００９】
本発明の好ましい形態を以下に示す。
本発明の排水ソケットは、前記絞り部が、略水平な複数の段差面、または下流側に向かって流路面積を小さくするテーパ面を有しているものとしてもよい。このような構成によれば、複数の段差面またはテーパ面に洗浄水が当たって跳ね返り、サイホンを発生させる。複数の段差面またはテーパ面は、一つの水平な受け面に比べて紙等が引っ掛かりにくい。したがって紙詰まりを抑制しつつサイホンを起動できる。
【００１０】
また、本発明の排水ソケットは、前記絞り部の全周に前記段差面または前記テーパ面が形成されているものとしてもよい。このような構成によれば、サイホン力を高めることができる。
【００１１】
また、本発明の排水ソケットは、前記排水路本体部と前記絞り部との間に、前記絞り部に向かって流路面積を拡大する流路面積拡大部が設けられ、前記絞り部の下流側に、下方に延びるガイド部が設けられているものとしてもよい。このような構成によれば、流路面積拡大部によって絞り部に多量の洗浄水が当たって跳ね返り、ガイド部によって洗浄水が下方に勢い良く流れるから、サイホン力を高めることができる。
【００１２】
＜実施例＞
以下、本発明を具体化した一実施例について、図１〜図５を参照しつつ詳細に説明する。
本実施例における排水ソケット１０は、便器５０の排水管部（便器排水管部５１と称する。）に接続される接続部１１と、接続部１１の下流側に連なる排水路本体部１２と、排水路本体部１２の下流側に連なる流路面積拡大部３０と、流路面積拡大部３０の下流側に連なる絞り部３２と、絞り部３２の下流側に連なるガイド部３７とを有している。排水ソケット１０の下流端部は、床面に設けられた排水配管５４に接続される。以下、各構成部材において、便器５０に通常の姿勢で座る人の向きを基準とし、図１の左側を後方、図１の右側を前方、図１の上側を上方、図１の下側を下方として説明する。また、図１の紙面に垂直な方向の手前側を右方、図１の紙面に垂直な方向の奥側を左方として説明する。
【００１３】
便器５０は、便鉢部５２と、便鉢部５２の底部から便器５０の後方に向かって延びる便器排水路５３とを有している。便器排水路５３は、便鉢部５２の底部から斜め上方に延びた後、下方に延び、その下流端において鉛直方向下向きに開口している。便器排水路５３の下流端は便器排水管部５１に形成されている。便器排水管部５１は、円筒形状をなし、便器５０の後端部において鉛直方向下向きに突出している。
【００１４】
接続部１１は上下両側に開口した円筒状をなしている。接続部１１の内部には、上方から便器排水管部５１が挿入される。接続部１１の外周面には、パッキン５６が装着される。
【００１５】
排水路本体部１２は、図２に示すように、下流側に向かって鉛直方向に対して傾斜する傾斜部１３と、傾斜部１３の下流側に連続する鉛直部１４とを有している。排水路本体部１２の流路面積は、傾斜部１３及び鉛直部１４にわたり概ね一定である。
【００１６】
排水路本体部１２の上流端部には、上側絞り部２０が設けられている。上側絞り部２０は、鉛直方向に対して交差方向（略水平方向）に広がる上側第１段差面２１及び上側第２段差面２２を有している。上側第２段差面２２は、上側第１段差面２１より下流側に位置する。図４に示すように、上側第２段差面２２の幅寸法（内外方向の寸法）は上側第１段差面２１の幅寸法よりも小さい。
【００１７】
上側第１段差面２１は、上側絞り部２０の全周に形成された環状をなしている。上側第１段差面２１は、上側絞り部２０の左右両側に位置する第１側段差面２１Ｓと、上側絞り部２０の前側に位置する第１前段差面２１Ｆと、上側絞り部２０の後側に位置する第１後段差面２１Ｒとを有している。
【００１８】
上側第２段差面２２は、上側絞り部２０の左右両側に位置する第２側段差面２２Ｓと、上側絞り部２０の前側に位置する第２前段差面２２Ｆとを有している。第２側段差面２２Ｓと第２前段差面２２Ｆとは幅寸法（内外方向の寸法）が概ね等しい。
【００１９】
上側絞り部２０の周面は、図４に示すように、左右一対の側面部２３と、左右一対の側面部２３の前端側を繋ぐ前面部２４と、左右一対の側面部２３の後端側を繋ぐ後面部２５とを有している。
【００２０】
一対の側面部２３は、第１側段差面２１Ｓの内縁から略鉛直に垂下している。一対の側面部２３は、上方からの平面視では、略平行をなし、前後方向に直線状に延びている。前面部２４は、第１前段差面２１Ｆの内縁から略鉛直に垂下している。前面部２４は、上方からの平面視では、円弧形状をなして湾曲している。後面部２５は、第１後段差面２１Ｒの内縁から略鉛直に垂下している。後面部２５は、上方からの平面視では、前面部２４よりも大きい半径の円弧形状をなして湾曲している。
【００２１】
上側絞り部２０の下流側には、図２に示すように、鉛直方向の下方に向かって前方へ傾斜する傾斜面１６が設けられている。傾斜面１６は、後面部２５の下端から垂下している。傾斜面１６は、後面部２５の下端から排水路本体部１２の傾斜部１３の上流端までわたっている。傾斜面１６は、上方からの平面視では、図４に示すように、後面部２５よりも緩い円弧形状をなして湾曲している。すなわち傾斜面１６の半径は後面部２５の半径より大きい。
【００２２】
傾斜部１３の前面１５は、図２に示すように、上流側（上流側傾斜部１５Ｕと称する。）よりも下流側（下流側傾斜部１５Ｓと称する。）が鉛直に近い勾配をなしている。傾斜部１３の前面１５の鉛直方向の断面は、図２に示すように、後側に膨らむように弓状に湾曲している。
【００２３】
流路面積拡大部３０は、図２に示すように、排水路本体部１２の下流端から絞り部３２の上流端までの間に形成されている。流路面積拡大部３０は、排水路本体部１２の下流端から絞り部３２に向かって次第に流路面積を拡大する。流路面積拡大部３０の内径寸法は、上流端から下流端に向かって次第に増している。流路面積拡大部３０の周面３１は、上流端から下流端に向かってラッパ状に広がっている。流路面積拡大部３０の周面３１は、上下方向においては内側に膨らんだ緩やかな湾曲形状をなしている。
【００２４】
絞り部３２は、排水路本体部１２の中心軸Ｃに沿った所定範囲に形成されている。絞り部３２は、上流側より下流側の流路面積を小さくする形状である。絞り部３２は、略鉛直に立つ第１側面３３及び第２側面３４と、略水平に広がる第１段差面３５及び第２段差面３６とを有している。絞り部３２は、流路方向（上下方向）に幅を有している。
【００２５】
第１側面３３は、流路面積拡大部３０の下流端から垂下している。第１段差面３５は、第１側面３３の下端から内側に張り出している。第１側面３３と第１段差面３５とは概ね直交している。第２側面３４は、第１段差面３５の内縁から垂下している。第２側面３４と第１段差面３５とは概ね直交している。第２段差面３６は、第２側面３４の下端から内側に張り出している。第２側面３４と第２段差面３６とは概ね直交している。
【００２６】
第１側面３３は、第２側面３４より径方向の外側に位置している。第１側面３３と第２側面３４とは互いに略平行をなす。第１側面３３と第２側面３４とは高さ寸法（上下方向の寸法）が同等である。
【００２７】
第１段差面３５は、第２段差面３６より上流側に位置している。第１段差面３５と第２段差面３６とは互いに略平行をなす。第１段差面３５と第２段差面３６とは、図５に示すように、幅寸法（内外方向の寸法）が同等である。第１側面３３、第２側面３４、第１段差面３５及び第２段差面３６は、絞り部３２の全周にわたって形成されている。第１側面３３、第２側面３４、第１段差面３５及び第２段差面３６は、同心の円形状をなしている。
【００２８】
ガイド部３７は、絞り部３２の第２段差面３６の内縁から垂下したガイド面３８を有している。ガイド面３８は、図２に示すように、前方に傾斜している。ガイド面３８の上流端部は、略鉛直をなしている。ガイド部３７の下流側は湾曲している。ガイド部３７の流路面積は、上流端から下流端まで概ね一定である。
【００２９】
排水ソケット１０は、排水ソケット１０の大部分を構成する第１部材１０Ｆと排水ソケット１０の下端部を構成する第２部材１０Ｓとを備えている。第１部材１０Ｆと第２部材１０Ｓとは別部材である。第１部材１０Ｆには、排水路本体部１２及び流路面積拡大部３０が形成されている。第２部材１０Ｓには、絞り部３２及びガイド部３７が形成されている。  
【００３０】
第１部材１０Ｆの下端には、図３に示すように、第２部材１０Ｓに接触する接触面４１が設けられている。接触面４１は、第２部材１０Ｓに設けられた接触受け面４２に当接する。接触受け面４２は、第１側面３３の上端に形成された段差面である。接触面４１の内縁４１Ａは、接触受け面４２の内縁（第１側面３３の上端）４２Ａよりも径方向の内側に位置している。第２側面３４は、接触面４１の内縁４１Ａよりも径方向の内側に位置している。
【００３１】
本実施例の排水ソケット１０は、図１に示すように、便器排水管部５１と排水配管５４とを連結する。
便器排水管部５１から排出された水は上側絞り部２０に当たって跳ね返り、傾斜面１６によって下流側傾斜部１５Ｓに流下する。下流側傾斜部１５Ｓに流下した水は、便器排水管部５１から流下した洗浄水と合流して早期にサイホンが発生する。合流した洗浄水は、下流側傾斜部１５Ｓの鉛直に近い傾斜に沿って流路面積拡大部３０へ勢い良く流れ込む。流路面積拡大部３０に流れ込んだ多量の洗浄水は、絞り部３２の第１段差面３５及び第２段差面３６に当たり、絞り部３２に多量の洗浄水が当たって跳ね返り、サイホンが発生する。
【００３２】
水とともに流下する紙等は、上側絞り部２０の後面部２５の半径が大きいから、左右方向に分散されて上側絞り部２０を流下する。上側絞り部２０は左右方向に広がりが大きく、流路面積が広いため、紙等は引っ掛かることなく流下する。紙等は、排水路本体部１２に沿って流下し、絞り部３２に流れ込む。絞り部３２に流れ込んだ紙等は、第１段差面３５に引っ掛かることなく流下し、第２段差面３６に引っ掛かることなく流下する。紙等は、強いサイホン力により水とともに勢いよく下方に引っ張られて排出される。
【００３３】
次に、上記のように構成された実施例の作用および効果について説明する。
本実施例の排水ソケット１０は、便器排水管部５１に接続される接続部１１と、接続部１１の下流側に連なる排水路本体部１２と、排水路本体部１２の下流側に連なって設けられた絞り部３２とを備えている。絞り部３２は、流れ方向に延びており、上流側より下流側の流路面積が小さい形状をなしている。この構成によれば、洗浄水が絞り部３２に当たって跳ね返り、サイホンを発生させる。絞り部３２は、一つの水平な受け面である場合に比べて紙等が引っ掛かりにくい。したがって、紙詰まりを抑制しつつサイホンを起動できる。
【００３４】
また、絞り部３２が、略水平な第１段差面３５及び第２段差面３６を有している。この構成によれば、第１段差面３５及び第２段差面３６に洗浄水が当たって跳ね返り、サイホンを発生させる。第１段差面３５及び第２段差面３６は、一つの水平な受け面に比べて紙等が引っ掛かりにくい。したがって紙詰まりを抑制しつつサイホンを起動できる。
【００３５】
また、絞り部３２の全周に第１段差面３５及び第２段差面３６が形成されている。この構成によれば、サイホン力を高めることができる。
【００３６】
また、排水路本体部１２と絞り部３２との間に、絞り部３２に向かって流路面積を拡大する流路面積拡大部３０が設けられている。絞り部３２の下流側に、下方に延びるガイド部３７が設けられている。この構成によれば、流路面積拡大部３０によって絞り部３２に多量の洗浄水が当たって跳ね返り、ガイド部３７によって洗浄水が下方に勢い良く流れるから、サイホン力を高めることができる。
【００３７】
＜他の実施例＞
本発明は上記記述及び図面によって説明した実施例に限定されるものではなく、例えば次のような実施例も本発明の技術的範囲に含まれる。
（１）上記実施例では、絞り部３２が２つの段差面３５，３６を有しているが、これに限らず、絞り部３２は３以上の段差面を有していても良い。例えば、図６に示すように、絞り部６０は、略鉛直に立つ第１側面６１、第２側面６２及び第３側面６３と、略水平に広がる第１段差面６４、第２段差面６５及び第３段差面６６とを有していてもよい。
（２）上記実施例では、絞り部３２が第１段差面３５及び第２段差面３６を有しているが、これに限らず、例えば、図７に示すように、絞り部７０は、下流側に向かって流路面積を小さくするテーパ面７１を有していてもよい。
（３）上記実施例では、絞り部３２が第１段差面３５及び第２段差面３６を有しているが、これに限らず、例えば、図８に示すように、絞り部８０は、下流側に向かって流路面積を小さくする湾曲面８１を有していてもよい。湾曲面８１は、流路方向の中間部が径方向の外側に位置するように窪んだ形状をなしている。
（４）上記実施例では、絞り部３２が第１段差面３５及び第２段差面３６を有しているが、これに限らず、例えば、図９に示すように、絞り部９０は、下流側に向かって流路面積を小さくする湾曲面９１を有していてもよい。湾曲面９１は、流路方向の中間部が径方向の内側に位置するように膨らんだ形状をなしている。
（５）上記実施例では、第１側面３３及び第２側面３４の高さ寸法が同等であるが、これに限らず、第１側面及び第２側面の高さ寸法は異なっていても良い。
（６）上記実施例では、第１段差面３５及び第２段差面３６は略水平であるが、これに限らず、各段差面が水平面に対して傾斜していてもよい。
（７）上記実施例では、絞り部３２の上流側に流路面積拡大部３０が設けられているが、必ずしも流路面積拡大部を設けなくても良い。
（８）上記実施例では、絞り部３２の下流側にガイド部３７が設けられているが、必ずしもガイド部を設けなくても良い。
【符号の説明】
【００３８】
１０…排水ソケット
１１…接続部
１２…排水路本体部
３０…流路面積拡大部
３２，６０，７０，８０，９０…絞り部
３５，６４…第１段差面
３６，６５…第２段差面
３７…ガイド部
５０…便器
５１…便器排水管部（便器の排水管部）
６６…第３段差面
【図１】
2020197003.tif 000003
【図２】
2020197003.tif 000004
【図３】
2020197003.tif 000005
【図４】
2020197003.tif 000006
【図５】
2020197003.tif 000007
【図６】
2020197003.tif 000008
【図７】
2020197003.tif 000009
【図８】
2020197003.tif 000010
【図９】
2020197003.tif 000011